(57)【要約】【課題】  ＲＦＩＤ２がどの程度近くにあるかに応じた通知を可能にすること。【解決手段】  本発明に係る携帯電話１は、予め記憶している認証情報を含む無線信号がＲＦＩＤ２から受信された場合に、該受信される無線信号の受信強度に応じて、互いに異なる着信通知処理のいずれかを選択的に実行することを特徴とする。【選択図】      図２
2006165787.tif 000002
【特許請求の範囲】
【請求項１】
予め記憶している認証情報を含む無線信号が所定の無線通信装置から受信された場合に、該受信される無線信号の受信強度に応じて、互いに異なる着信通知処理のいずれかを選択的に実行することを特徴とする携帯電話。
【請求項２】
無線通信装置と通信する情報処理装置であって、
前記無線通信装置に記憶される認証情報と同一の認証情報を、少なくとも一つ記憶する認証情報記憶手段と、
情報を通知するための通知処理を行う通知処理手段と、
前記無線通信装置から、前記認証情報の少なくとも一つを含む認証情報信号を受信する認証情報信号受信手段と、
前記無線通信装置から受信される無線信号の受信強度を示す受信信号強度情報を取得する受信信号強度情報取得手段と、
前記受信される認証情報信号に含まれる認証情報が、前記認証情報記憶手段に記憶されている認証情報のいずれかと同一であるか否かを判断する認証情報判断手段と、
を含み、
前記通知処理手段は、前記受信される認証情報信号に含まれる認証情報が、前記認証情報記憶手段に記憶されている認証情報のいずれかと同一であると判断される場合に、前記取得される受信信号強度情報により示される前記認証情報信号の受信強度に応じて、互いに異なる通知処理のいずれかを選択的に実行する、
ことを特徴とする情報処理装置。
【請求項３】
請求項２に記載の情報処理装置において、
前記通知処理手段は、他の情報処理装置から通信開始要求があり、かつ該通信開始要求に応じた所定の通信開始処理がなされていない場合に、前記通知処理を行う、
ことを特徴とする情報処理装置。
【請求項４】
請求項２又は３に記載の情報処理装置において、
前記通知処理手段は、他の情報処理装置により当該情報処理装置に対して情報が送信され、かつ該情報を当該情報処理装置のユーザが確認するための所定の確認処理が行われていない場合に、前記通知処理を行う、
ことを特徴とする情報処理装置。
【請求項５】
請求項２乃至４のいずれかに記載の情報処理装置において、
当該情報処理装置は、他の情報処理装置と、それぞれ異なる基地局装置識別番号が付与される複数の基地局装置のうちの少なくとも一つを介して通信を行い、
少なくとも一つの前記基地局装置識別番号を記憶する基地局装置識別番号記憶手段と、
前記各基地局装置から送信され、該基地局装置に付与される基地局装置識別番号を含む基地局装置識別番号信号を受信する基地局装置識別番号信号受信手段と、
前記受信される基地局装置識別番号信号に含まれる前記基地局装置識別番号が、前記基地局装置識別番号記憶手段に記憶されている基地局装置識別番号のいずれかと同一であるか否かを判断する基地局装置識別番号判断手段と、
をさらに含み、
前記通知処理手段は、前記基地局装置識別番号判断手段の判断結果に応じて互いに異なる前記通知処理のいずれかを選択的に実行する、
ことを特徴とする情報処理装置。
【請求項６】
無線通信装置と通信する情報処理装置において情報を通知するための情報通知方法であって、
情報を通知するための通知処理を行う通知処理ステップと、
前記無線通信装置から、前記認証情報の少なくとも一つを含む認証情報信号を受信する認証情報信号受信ステップと、
前記無線通信装置から受信される無線信号の受信強度を示す受信信号強度情報を取得する受信信号強度情報取得ステップと、
前記受信される認証情報信号に含まれる認証情報が、前記無線通信装置に記憶される認証情報と同一の認証情報を少なくとも一つ記憶する認証情報記憶手段に記憶されている認証情報のいずれかと同一であるか否かを判断する認証情報判断ステップと、
を含み、
前記通知処理ステップにおいて、前記受信される認証情報信号に含まれる認証情報が、前記認証情報記憶手段に記憶されている認証情報のいずれかと同一であると判断される場合に、前記取得される受信信号強度情報により示される前記認証情報信号の受信強度に応じて、互いに異なる通知処理のいずれかを選択的に実行する、
ことを特徴とする情報通知方法。
【発明の詳細な説明】
【技術分野】
【０００１】
本発明は情報処理装置及び情報通知方法に関し、例えばＲＦＩＤによる個体識別に応じて情報を通知する情報処理装置及び情報通知方法に関する。
【背景技術】
【０００２】
近年、個体を識別するための技術としてＲＦＩＤ(Radio Frequency Identification,無線ＩＣタグ)が注目されている。このＲＦＩＤは安価かつ小型に製造でき、さらに一定量の情報を記憶させておき、この情報を無線により遠隔から読み取ることもできるので、識別の対象となる種々の物品に付しておけば、各識別の対象を簡便な方法で識別できる。
【０００３】
このようなＲＦＩＤによる個体識別を応用した技術の例が特許文献１に記載されている。特許文献１に記載の技術では、複数の携帯通信端末装置のそれぞれにＲＦＩＤが付されている。また各携帯通信端末装置は、通信相手となる他の携帯通信端末装置に付されたＲＦＩＤに記憶された個体識別情報を、予め通信回線を介して取得しておく。そして、ある携帯通信端末装置が、他の携帯通信端末装置に付されているＲＦＩＤからの電波が受信可能になると、当該ＲＦＩＤが記憶している個体識別情報を取得し、当該取得した個体識別情報が、予め取得しておいて個体識別情報に一致する場合に、通信相手となる他の携帯通信端末装置が近づいてきたと判断し、ユーザに対して、通信相手が近づいてきた旨の通知を実施している。
【特許文献１】特開２００４−１４０６５９号公報
【発明の開示】
【発明が解決しようとする課題】
【０００４】
上記従来技術では、ＲＦＩＤから受信される個体識別情報と、予め記憶している個体識別情報とが一致するか否かを判断し、個体識別情報が記憶されているＲＦＩＤが近づいてきた旨の通知処理を行っている。しかしながら、上記従来の技術では、ＲＦＩＤからの電波が受信可能になったときに、該ＲＦＩＤが近づいてきた旨の報知処理を行うことはできるが、ＲＦＩＤの位置に関する情報は電波の到達範囲に通信相手がいるか否かの２種類のみで、どの程度近くにあるかということに関する情報を取得してはいなかった。このため、通信相手のＲＦＩＤがどの程度近くにあるかに応じて柔軟に通知処理を行うことはできなかった。
【０００５】
本発明は上記課題に鑑みてなされたもので、その目的の一つは、ＲＦＩＤがどの程度近くにあるかに応じた通知を可能にする情報処理装置及び情報通知方法を提供することにある。
【課題を解決するための手段】
【０００６】
上記課題を解決するための本発明に係る携帯電話は、予め記憶している認証情報を含む無線信号が所定の無線通信装置から受信された場合に、該受信される無線信号の受信強度に応じて、互いに異なる着信通知処理のいずれかを選択的に実行することを特徴とする。
【０００７】
このようにすることにより、無線通信装置であるＲＦＩＤから受信される無線信号の受信強度に応じて通知処理を異ならせることができるので、無線通信装置であるＲＦＩＤがどの程度近くにあるかに応じた着信通知が可能になる。
【０００８】
また、本発明に係る情報処理装置は、無線通信装置と通信する情報処理装置であって、前記無線通信装置に記憶される認証情報と同一の認証情報を、少なくとも一つ記憶する認証情報記憶手段と、情報を通知するための通知処理を行う通知処理手段と、前記無線通信装置から、前記認証情報の少なくとも一つを含む認証情報信号を受信する認証情報信号受信手段と、前記無線通信装置から受信される無線信号の受信強度を示す受信信号強度情報を取得する受信信号強度情報取得手段と、前記受信される認証情報信号に含まれる認証情報が、前記認証情報記憶手段に記憶されている認証情報のいずれかと同一であるか否かを判断する認証情報判断手段と、を含み、前記通知処理手段は、前記受信される認証情報信号に含まれる認証情報が、前記認証情報記憶手段に記憶されている認証情報のいずれかと同一であると判断される場合に、前記取得される受信信号強度情報により示される前記認証情報信号の受信強度に応じて、互いに異なる通知処理のいずれかを選択的に実行する、ことを特徴とする。
【０００９】
このようにすることによっても、ＲＦＩＤからの無線信号が受信可能であるか否かだけでなく、無線通信装置であるＲＦＩＤから受信される無線信号の受信強度に応じて通知処理を異ならせることができるので、無線通信装置であるＲＦＩＤがどの程度近くにあるかに応じた通知が可能になる。
【００１０】
また、上記情報処理装置において、前記通知処理手段は、他の情報処理装置から通信開始要求があり、かつ該通信開始要求に応じた所定の通信開始処理がなされていない場合に、前記通知処理を行う、こととしてもよい。また、上記情報処理装置において、前記通知処理手段は、他の情報処理装置により当該情報処理装置に対して情報が送信され、かつ該情報を当該情報処理装置のユーザが確認するための所定の確認処理が行われていない場合に、前記通知処理を行う、こととしてもよい。
【００１１】
このようにすれば、通信開始処理や確認処理などの所定処理がされていない場合に限り通知処理を行うことができるので、無駄な通知処理を行わないようにすることができる。
【００１２】
また、上記情報処理装置において、当該情報処理装置は、他の情報処理装置と、それぞれ異なる基地局装置識別番号が付与される複数の基地局装置のうちの少なくとも一つを介して通信を行い、少なくとも一つの前記基地局装置識別番号を記憶する基地局装置識別番号記憶手段と、前記各基地局装置から送信され、該基地局装置に付与される基地局装置識別番号を含む基地局装置識別番号信号を受信する基地局装置識別番号信号受信手段と、前記受信される基地局装置識別番号信号に含まれる前記基地局装置識別番号が、前記基地局装置識別番号記憶手段に記憶されている基地局装置識別番号のいずれかと同一であるか否かを判断する基地局装置識別番号判断手段と、をさらに含み、前記基地局装置識別番号判断手段の判断結果に応じて、互いに異なる前記通知処理のいずれかを選択的に実行する、こととしてもよい。このようにすれば、在圏エリアに応じて、通知処理を異ならせることが可能になる。なお在圏とは、情報処理装置が、ある基地局装置とが通信可能な場所にあることであり、在圏エリア（又は在圏基地局）とは、現に情報処理装置が基地局装置と通信しているエリア（又は基地局装置）を意味する。
【００１３】
また、本発明に係る情報通知方法は、無線通信装置と通信する情報処理装置において情報を通知するための情報通知方法であって、情報を通知するための通知処理を行う通知処理ステップと、前記無線通信装置から、前記認証情報の少なくとも一つを含む認証情報信号を受信する認証情報信号受信ステップと、前記無線通信装置から受信される無線信号の受信強度を示す受信信号強度情報を取得する受信信号強度情報取得ステップと、前記受信される認証情報信号に含まれる認証情報が、前記無線通信装置に記憶される認証情報と同一の認証情報を少なくとも一つ記憶する認証情報記憶手段に記憶されている認証情報のいずれかと同一であるか否かを判断する認証情報判断ステップと、を含み、前記通知処理ステップにおいて、前記受信される認証情報信号に含まれる認証情報が、前記認証情報記憶手段に記憶されている認証情報のいずれかと同一であると判断される場合に、前記取得される受信信号強度情報により示される前記認証情報信号の受信強度に応じて、互いに異なる通知処理のいずれかを選択的に実行する、ことを特徴とする。
【発明を実施するための最良の形態】
【００１４】
本発明の実施の形態について、図面を参照しながら説明する。
【００１５】
[実施形態１]
図１は、本発明の第１の実施形態に係る情報処理システム５の構成図である。同図に示すように、本実施の形態に係る情報処理システム５は、移動体通信システムの構成要素としての携帯電話１と複数の基地局装置３とを含み、さらに基地局装置３は通信ネットワーク４と接続されている。また、ＲＦＩＤシステムの構成要素としての携帯電話１とＲＦＩＤ２とを含んで構成されている。
【００１６】
ここでＲＦＩＤ２は、認証情報を記憶しており、送信する無線信号に、この認証情報を含める。これによりＲＦＩＤ２からの信号の受信側においてＲＦＩＤ２を認証することができるようになる。なお、ここで認証情報は、各ＲＦＩＤ２を認証するために使用される情報である。具体的に、この認証情報は、個々のＲＦＩＤ２を識別するためのＲＦＩＤ識別情報をそのまま用いることができる。
【００１７】
そして本実施形態では、ＲＦＩＤ２がどの程度近くにあるかに応じて、携帯電話１が着信通知処理を行う。この着信通知処理のイメージを、図２に示す説明図を参照しながら説明する。同図（ａ）では、携帯電話１は着信待ち状態である。この状態において着信があると、同図（ｂ）に示すように着信通知を行う。この図では後述するバイブレーター３４における振動処理と後述するリンガー３５における鳴動処理を同時に行っている。この着信通知処理は、呼の着信があったという情報や、メールの着信があったという情報を携帯電話１のユーザに通知するための処理であり、呼の着信の場合にはユーザが所定の確認処理を行うか、発信者が発信を停止すると停止される。メール着信の場合にはユーザが所定の確認処理を行うか、一定の時間が経過すると停止される。ここで、携帯電話１のユーザは携帯電話１を常に持ち歩いているわけではないため、確認処理が行われないことがある。このような場合、図２（ｃ）に示すように携帯電話１のユーザが身につけているＲＦＩＤ２が近づくと、ＲＦＩＤ２がどの程度近くにあるかに応じて、再度着信通知処理を行うようにしている。
【００１８】
図３は、このような着信通知処理を実施するための、本実施形態に係る携帯電話１の構成図である。同図に示すように、本実施形態に係る携帯電話１は、中央プロセッサ部１０、記憶部２０、入出力部３０、信号処理部４０、セルラ送受信部５０、ＲＦＩＤ送受信部６０を含んで構成されている。
【００１９】
携帯電話１は、移動体通信システムにおける移動局装置として機能するとともに、無線通信装置であるＲＦＩＤ２の読取装置としても機能する。以下、この携帯電話１の各部を説明する。
【００２０】
中央プロセッサ部１０は、コンピュータである携帯電話１の中央処理装置であり、携帯電話１の各部を制御したり、通信に係る各種処理を行ったりする。本実施形態では中央プロセッサ部１０は、機能的に認証情報取得部１１、ＲＦＩＤ判定部１２、通知処理部１３、ＲＦＩＤ登録部１４を含んで構成される。これらの各部分については、後に詳述する。
【００２１】
記憶部２０はメモリ２１を含んで構成される。ここでは、例えばＲＡＭ(Randam Access Memory)、ハードディスク、フラッシュメモリなどの各種記憶装置を総称してメモリ２１と呼ぶ。メモリ２１は、中央プロセッサ部１０や後述する信号処理部４０のワークメモリとして機能するとともに、各種処理に関わるデータを記憶する。このデータには上記認証情報も含まれ、記憶部２０は、ＲＦＩＤ２に記憶される認証情報と同一の認証情報を、少なくとも一つ記憶する。
【００２２】
入出力部３０は、マイク３２、キーＩＦ３７(Key Interface)といった入力装置、スピーカ３３、バイブレーター３４、リンガー３５、ＬＣＤ３６(Liquid Crystal Display)といった出力装置、通信ポート３８といった他の装置との通信インターフェイス装置を含んで構成される。
【００２３】
マイク３２は、携帯電話１のユーザの音声を電気的信号に変換する。ＣＯＤＥＣ３１は、マイク３２が出力する電気的信号をデジタル信号に変換して信号処理部４０に出力する。また、このＣＯＤＥＣ３１は、信号処理部４０が出力するデジタル信号をアナログ信号に変換して出力する。ここで、信号処理部４０が出力するデジタル信号は、例えば通信先から受信される音声信号に係るデジタル信号であり、このような場合には、ここで出力されるアナログ信号は、当該音声信号となる。スピーカ３３は、当該音声信号を鳴動する。
【００２４】
バイブレーター３４は、偏心おもりなどの振動子を備え、中央プロセッサ部１０から入力される指示に従って、当該振動子を振動させる。これにより携帯電話１全体が振動し、ユーザに対して着信などの情報を通知する。リンガー３５は、スピーカなどの音声出力手段を備え、中央プロセッサ部１０から入力される指示に従って、音声を鳴動し、ユーザに着信などの情報を通知する。ＬＣＤ３６は、液晶ディスプレイであり、中央プロセッサ部１０から入力される指示に従って情報を表示出力し、ユーザに対して情報を通知する。
【００２５】
一方、キーＩＦ３７はキー入力を行うための例えばダイヤルボタンなどから構成されるインターフェイス装置である。キーＩＦ３７はダイヤルボタンの各ボタンに対応付けられたキー情報を、ユーザの押下に応じた順序で取得し、取得したキー情報を中央プロセッサ部１０に対して出力する。
【００２６】
通信ポート３８は、例えばパーソナルコンピュータなど、他の装置（外部装置）に接続されて、インターフェイスとして動作する。この通信ポート３８は、接続された外部装置から入力される信号を中央プロセッサ部１０に対して出力するととともに、中央プロセッサ部１０から入力される指示に従い、外部装置に対して信号を出力する。
【００２７】
次に、信号処理部４０は、ＤＳＰ４１(Digital Signal Processor)を含んで構成される処理装置である。信号処理部４０は、セルラ送受信部５０において送受信される信号のデジタル信号処理を行う。具体的には、セルラ送受信部５０から出力された信号のデジタル信号処理を行って、必要に応じ中央プロセッサ部１０に対して出力する。さらに、セルラ送受信部５０から出力された信号が通信制御のための制御信号である場合には、該制御信号に含まれる制御情報に応じた処理も行う。例えば制御情報が通信開始を要求する通信開始要求である場合には通信を開始するための処理を行う。また信号処理部４０は、中央プロセッサ部１０から出力される送信信号にデジタル信号処理を行い、セルラ送受信部５０に対して出力する。このように、携帯電話１では、移動体通信システムにおける移動局装置として機能するための信号処理に係るプロセッサを、中央プロセッサ部１０とは特別に設けることにより、中央プロセッサ部１０に係る処理の負担を軽減している。
【００２８】
セルラ送受信部５０は、携帯電話１が移動局装置として機能するため、移動局装置に係る信号を送受信するための信号送受信装置である。このセルラ送受信部５０は、ＡＤＣ／ＤＡＣ５１(Analog-Digital Converter/Digital-Analog Converter)と、ＲＦ部５２(Radio Frequency)とを含んで構成される。ＡＤＣ／ＤＡＣ５１は、信号処理部４０から、基地局装置３に対して送信するべきデジタル送信信号の入力を受け入れる。そしてこのＡＤＣ／ＤＡＣ５１は、当該デジタル送信信号をアナログ信号に変換して、無線にて送信できるようにする。さらにこのＡＤＣ／ＤＡＣ５１は、ＲＦ部５２が出力するアナログ信号をデジタル信号に変換して、信号処理部４０に出力する。
【００２９】
ＲＦ部５２は、ＡＤＣ／ＤＡＣ５１が出力するアナログ信号に対して、変調処理や、周波数変換処理、増幅処理等の各処理を行い、アンテナを介して無線にて送出する。またこのＲＦ部５２は、アンテナに到来した所定周波数の無線信号を受信して、当該受信した無線信号に対して増幅処理や、周波数変換処理、復調処理等の各処理を行い、ＡＤＣ／ＤＡＣ５１に出力する。
【００３０】
ＲＦＩＤ送受信部６０は、認証情報を記憶するＲＦＩＤ２から、該記憶される認証情報の少なくとも一つを含む認証情報信号としての無線信号を受信する認証情報信号受信手段に相当し、携帯電話１をＲＦＩＤ読取装置として機能させる。このＲＦＩＤ送受信部６０は、ＲＳＳＩ取得部６１、ＲＦＩＤ用ＲＦ部６２を含んで構成される。ＲＦＩＤ用ＲＦ部６２はアンテナを備え、中央プロセッサ部１０からの指示に従って、ＲＦＩＤ２に対して無線信号を送信し、ＲＦＩＤ２から送信される無線信号を受信する。受信される無線信号には認証情報が含まれる。ＲＳＳＩ取得部６１は、ＲＦＩＤ２から受信される無線信号の受信強度(RSSI, Received Signal Strength Indicator)を取得し、中央プロセッサ部１０に対して出力する。
【００３１】
ＲＳＳＩ取得部６１は、ＲＦＩＤ用ＲＦ部６２において受信される無線信号の受信強度を測定し、当該受信強度に係る情報（ＲＳＳＩ情報）を、中央プロセッサ部１０に対して出力する。例えば、ＲＳＳＩ取得部６１は、ＲＦＩＤ２の放射する電波による電界強度を電圧信号として取得する、電界強度計を用いて実現できる。この場合、当該電圧信号をデジタル信号に変換してＲＳＳＩ情報とし、このＲＳＳＩ情報を出力する。
【００３２】
次に、中央プロセッサ部１０に含まれる各機能部について説明する。認証情報取得部１１は、ＲＦＩＤ送受信部６０により受信されるＲＦＩＤ２からの無線信号に含まれる認証情報を取得する。
【００３３】
ＲＦＩＤ判定部１２は、受信される認証情報信号に含まれる認証情報が、記憶部２０に記憶される認証情報のいずれかと同一であるか否かを判断する認証情報判断手段として機能し、メモリ２１に記憶されている認証情報と、認証情報取得部１１が取得した認証情報と、が一致しているか否か（同一であるか否か）を判断する。また、このＲＦＩＤ判定部１２は、ＲＦＩＤ送受信部６０が受信する認証情報信号としての無線信号の受信強度を示す受信信号強度情報を取得する受信信号強度情報取得手段としても機能し、ＲＳＳＩ取得部６１により取得されるＲＳＳＩ情報と、予め定めた閾値との比較判断も行い、比較結果を、該所定の閾値に対するＲＳＳＩ情報の大小を示す受信信号強度情報として取得する。
【００３４】
ＲＦＩＤ登録部１４は、ＲＦＩＤ２の認証情報をメモリ２１に登録するための登録処理を行う。具体的には、キーＩＦ３７、通信ポート３８又は認証情報取得部１１から、認証情報を取得し、取得された認証情報をメモリ２１に記憶させることにより登録する。キーＩＦ３７は、携帯電話１のユーザが認証情報を登録するための所定のキー操作を行うことにより、認証情報を所得する。通信ポート３８は、接続される他の装置から認証情報を登録するための、認証情報を含む所定の登録信号を受信することにより、認証情報を取得する。また認証情報取得部１１は、上述のように、ＲＦＩＤ送受信部６０が受信したＲＦＩＤ２からの無線信号に含まれる認証情報を取得する。
【００３５】
ここで上記登録処理のうち、認証情報取得部１１が認証情報を取得することにより、ＲＦＩＤ登録部１４が認証情報をメモリ２１に記憶させる場合の処理について、処理のフロー図を参照しながら説明する。図４は、認証情報取得部１１が認証情報を取得することにより、ＲＦＩＤ登録部１４が認証情報をメモリ２１に記憶させる場合の登録処理のフロー図である。同図に示すように、まず携帯電話１のユーザがキーＩＦ３７において所定の登録操作を行う（Ｓ１００）。すると、中央プロセッサ部１０は、該登録操作を受け、ＲＦＩＤ送受信部６０において、ＲＦＩＤ２からの無線信号が送信されていないか否かを確認するＲＦＩＤスキャン処理を行う（Ｓ１０１）。そして、受信されたＲＦＩＤ２からの無線信号に含まれる認証情報を一時的にメモリ２１に記憶し（Ｓ１０２）、記憶された認証情報をＬＣＤ３６において表示させる。このとき、複数のＲＦＩＤ２からの無線信号で受信されていれば、複数の認証情報を一覧として表示する。そしてユーザは、表示された少なくとも１の認証情報の中から、少なくとも１つの認証情報を選択する（Ｓ１０３）。そしてＲＦＩＤ登録部１４は、ユーザが選択した認証情報を、メモリ２１に記憶させる（Ｓ１０４）。このようにして、記憶部２０は少なくとも１つの認証情報を記憶する。
【００３６】
通知処理部１３は、移動局装置としての携帯電話１の呼着信通知処理及びメール着信通知処理（以下、単に着信通知処理というときは、両方を含む）を行う。呼着信通知処理とは、音声通信又はデータ通信の開始を要求する通信開始要求が基地局装置３から送信された場合に、該通信開始要求が受信されたことを携帯電話１のユーザに知らせる処理である。具体的には、バイブレーター３４における振動処理、リンガー３５における鳴動処理、ＬＣＤ３６における着信通知情報表示処理、スピーカ３３における着信通知情報音声出力処理、などが挙げられる。通知処理部１３は、これらの通知処理のうち、１又は複数の通知処理を行わせるために、入出力部３０又は信号処理部４０に対して通知処理を開始するよう指示を行う。そして、通知処理による通知を受けた携帯電話１のユーザがキーＩＦ３７において所定の応答操作若しくは所定の拒否操作を行うことにより、中央プロセッサ部１０は、通信を開始、又は拒否するなどの処理を行う。一方、通知処理による通知を受けた携帯電話１のユーザが所定の応答操作若しくは所定の拒否操作を行わない場合には、中央プロセッサ部１０は、通信開始要求があったことを示す不在着信情報を、該通信開始要求があった時刻及び通信開始要求の要求元を示す要求元情報と対応付けて、メモリ２１に記憶する。
【００３７】
また、メール着信通知処理とは、電子メールやＳＭＳ(Short Messaging Service)におけるメールメッセージ（以下、メールと総称する）が基地局装置３から受信されたことを、携帯電話１のユーザに知らせる処理である。通知手段としては呼着信通知処理と同様、バイブレーター３４における振動処理、リンガー３５における鳴動処理、ＬＣＤ３６における着信通知情報表示処理、スピーカ３３における着信通知情報音声出力処理、などが挙げられる。通知処理部１３は、これらの通知処理のうち、１又は複数の通知処理を行わせるために、入出力部３０又は信号処理部４０に対して通知処理を開始するよう指示を行う。そして、通知処理による通知を受けた携帯電話１のユーザがキーＩＦ３７において所定の確認操作を行うことにより、中央プロセッサ部１０は、メールを表示する処理を行うとともに、受信されたメールをメールの送信者を示す送信者情報及びメールの受信時刻と対応付けてメモリ２１に記憶する。そして、該メール着信に対して所定の確認操作が行われた（メールが読まれた）ことを示すメール既読情報を、さらに対応付けて記憶する。一方、通知処理による通知を受けた携帯電話１のユーザが所定の確認操作を行わない場合にも、中央プロセッサ部１０は、受信されたメールをメールの送信者を示す送信者情報及びメールの受信時刻と対応付けてメモリ２１に記憶するが、メール既読情報に代えて、所定の確認操作が行われていないことを示す（未読であることを示す）メール未読情報を、さらに対応付けて記憶する。
【００３８】
そして通知処理部１３が上述のように着信通知処理を行ったが、ユーザが所定の応答操作、所定の拒否操作、所定の確認操作などの確認処理を行わない場合には、ＲＦＩＤ登録部１４により登録され、記憶部２０に記憶される認証情報を無線信号に含めて送信するＲＦＩＤ２が近づいたときに、再度着信通知処理を行う。
【００３９】
より具体的には、記憶部２０に記憶される認証情報を無線信号に含めて送信するＲＦＩＤ２が近づいたことが検出された場合、すなわち、ＲＦＩＤ判定部１２により行われる、認証情報を記憶しているメモリ２１において記憶される認証情報と、認証情報取得部１１により取得される認証情報と、が一致しているか否かについての判断結果により、一致していることが示された場合に、ＲＦＩＤ判定部１２において取得される受信信号強度情報を確認する。そして確認した受信信号強度情報に応じて、通知処理部１３は、メール未読情報が対応付けられたメールが記憶部２０に記憶されているか否か、及び不在着信情報が記憶部２０に記憶されているか否か、を確認する。そして、いずれかが記憶されている場合に、再度着信通知処理を行う。このように、通知処理部１３が、受信される認証情報信号に含まれる認証情報が、記憶部２０に記憶されている認証情報のいずれかと同一であると判断される場合に、ＲＦＩＤ判定部１２において取得される受信信号強度情報により示される認証情報信号の受信強度に応じて、互いに異なる通知処理のいずれかを選択的に実行する通知処理手段として機能することにより、ＲＦＩＤ２が近づいたときに再度着信通知処理を行うことができる。そしてこれにより、例えば登録されているＲＦＩＤ２を身に付けている携帯電話１のユーザが近づいたときにのみ再度着信通知処理を行うことができるようになるとともに、そのＲＦＩＤ２がどの程度近くにあるかに応じて異なる処理を行うことが可能になる。
【００４０】
以下、再度着信通知処理を行うための、具体的処理について処理のフロー図を参照しながら説明する。
【００４１】
図５は、呼の着信又はメールの着信があった場合の、中央プロセッサ部１０における着信通知処理の処理を示すフローである。同図に示すように、まず中央プロセッサ部１０は通常着信通知設定が有効になっているか否かを確認する（Ｓ２００）。通常着信通知設定とは、ユーザにより設定される情報であり、記憶部２０に記憶されている。ユーザは、呼の着信やメールの着信があった場合に、着信通知をしてほしいか否かを通常着信通知設定として設定しておく。そして着信通知処理時には設定された通常着信通知設定を確認して着信通知処理を行うことにより、ユーザの意思に沿って着信通知処理を行うことを可能にしている。なお、通常着信通知設定には通知処理の種類を示す通知種類情報が含められていてもよい。
【００４２】
そして、通常着信通知設定が有効になっていると判断される場合には、通常の着信通知処理を行う（Ｓ２０２）。この場合中央プロセッサ部１０は、上述のように、ユーザが確認処理を行ったか否かに応じた情報（不在着信情報、メール既読情報、メール未読情報）を記憶部２０に記憶させる。一方、通常着信通知設定が有効になっていると判断されない場合には、通常の着信通知処理を行わない。このときには、ユーザは確認処理を行うことができないので、不在着信情報やメール未読情報といった、確認処理が行われていないことを示す情報を記憶部２０に記憶させる。
【００４３】
次に中央プロセッサ部１０は、ＲＦＩＤ検出時着信通知設定が有効になっているか否かを確認する（Ｓ２０４）。ＲＦＩＤ検出時通常着信通知設定とは、ユーザにより設定される情報であり、記憶部２０に記憶されている。ユーザは、呼の着信やメールの着信があった場合であって、所定の応答操作、所定の拒否操作、又は所定の確認操作を行わなかった場合に、ＲＦＩＤ２を検出したか否かに応じて再度着信通知をしてほしいか否かをＲＦＩＤ検出時通常着信通知設定として設定しておく。このようにして、ユーザの意思に沿ってＲＦＩＤ検出時着信通知処理を行うことを可能にしている。
【００４４】
ＲＦＩＤ検出時着信通知設定が有効になっていない場合には、以降の処理は特に行われず、処理を終了する。一方、ＲＦＩＤ検出時着信通知設定が有効になっていると判断される場合には、ユーザにより確認処理が行われるか、又は記憶部２０に記憶される数値である回数制限情報により示される所定回数が経過するまでの間、以降の処理を繰り返し行う（Ｓ２０６，Ｓ２１６）ことにより、ＲＦＩＤ２が近づくごとに通知処理を行う。
【００４５】
そして中央プロセッサ部１０は、記憶部２０に記憶されている認証情報を確認し、記憶されている認証情報の数の分だけ、以下に説明するＲＦＩＤ＿ｎ検出処理を繰り返す（Ｓ２１０，Ｓ２１４）。ここでｎは記憶されている認証情報に付与される通番である。ただし、繰り返しの際には、所定時間のウエイト処理（Ｓ２０８）を行う。このようにすることにより、中央プロセッサ部１０の処理を軽減することができる。
【００４６】
ＲＦＩＤ＿ｎ検出処理について、図６に示す、中央プロセッサ部１０におけるＲＦＩＤ＿ｎ検出処理のフロー図を参照しながら説明する。同図に示すように、中央プロセッサ部１０はＲＦＩＤ＿ｎからの電波が受信されているか否かを確認する（Ｓ３００）。すなわち、ＲＦＩＤ２から送信される無線信号が受信できるか否かを確認するとともに、受信できる場合には、記憶されている認証情報（ＲＦＩＤ＿ｎを示すＲＦＩＤ識別情報）と同じ認証情報を含む無線信号を送信してくるＲＦＩＤ２からの電波が受信できているか否かを、ＲＦＩＤ判定部１２により行われる、認証情報を記憶しているメモリ２１において記憶される認証情報と、認証情報取得部１１により取得される認証情報と、が一致しているか否かについての判断結果により確認する。
【００４７】
そして、ＲＦＩＤ＿ｎからの電波が受信されていることが確認できれば（Ｓ３０２）、変数「受信履歴」の値が「無」となっているか否かを確認する（Ｓ３１２）。変数「受信履歴」は、記憶部２０に上記メール未読情報又は不在着信情報が記憶されているか否かを示す情報であり、ＲＦＩＤ＿ｎごとに記憶されている。より具体的には、変数「受信履歴」の初期値は「無」であり、記憶部２０に上記メール未読情報又は不在着信情報が記憶されたときに、中央プロセッサ部１０が変数「受信履歴」を更新し、「有」を設定する。また、ユーザにより記憶部２０に記憶されるメール未読情報又は不在着信情報の全てについて所定の確認処理が行われたときに、中央プロセッサ部１０は変数「受信履歴」を更新し、「無」を設定する。
【００４８】
変数「受信履歴」の値が「無」となっていない場合には、ここで変数「受信履歴」の値を「無」に変更する（Ｓ３１４）。このようにすることにより、同じＲＦＩＤ＿ｎが再度検出されても通知処理を行わないようにすることができる。また、変数「検出不能連続数」の値を０に設定する（Ｓ３１４）。本ＲＦＩＤ＿ｎ検出処理においては後述するように、ＲＦＩＤ＿ｎからの電波が確認できるまで所定回数Ｎ回にわたり、ＲＦＩＤ＿ｎからの電波を確認する処理を行う。そこで、所定回数Ｎ回に達したことを確認するために、一時変数「検出不能連続数」を設けている。そして、後述するＲＦＩＤ検出時着信通知処理を行う（Ｓ３１８）。
【００４９】
一方、Ｓ３１２の処理において変数「受信履歴」の値が「無」となっている場合には、再度通知処理を行う必要がないので、ＲＦＩＤ＿ｎ検出処理を終了する。そして、次のＲＦＩＤ＿ｎについてのＲＦＩＤ＿ｎ検出処理を行う（Ｓ２１０，Ｓ２１２，Ｓ２１４）。ただし、行ったＲＦＩＤ＿ｎ検出処理が、記憶される認証情報のうち最後の認証情報についてのＲＦＩＤ＿ｎ検出処理であった場合には、Ｓ２１０乃至Ｓ２１４のループを抜け、所定時間ウエイトした後（Ｓ２０８）、再度ＲＦＩＤ＿ｎ検出処理を行う。
【００５０】
Ｓ３０２の処理において、ＲＦＩＤ＿ｎからの電波が受信されていることが確認できなければ（Ｓ３０２）、変数「検出不能連続数」がＮに達しているか否かを判断し（Ｓ３０８）、Ｎに達していればＲＦＩＤ＿ｎ検出処理を終了し、次のｎについて、ＲＦＩＤ＿ｎ検出処理を行う（Ｓ２１０）。一方、Ｎに達していなければ再度ＲＦＩＤ＿ｎからの電波を確認する処理を繰り返す（Ｓ３００）。
【００５１】
以上のように、１つのＲＦＩＤ２についてＮ回まで電波の到来の有無を確認する処理を繰り返すことにより、確実にＲＦＩＤ２からの電波を確認するようにするとともに、Ｎ回で制限することにより、順に他のＲＦＩＤ２についても確認することができるようにしている。
【００５２】
次に、ＲＦＩＤ検出時着信通知処理について説明する。図７は、中央プロセッサ部１０におけるＲＦＩＤ検出時着信通知処理のフロー図である。同図に示すように、中央プロセッサ部１０はまず、受信強度利用設定が有効になっているか否かについて確認する（Ｓ４００）。受信強度利用設定とは、ユーザにより設定される情報であり、記憶部２０に記憶されている。ユーザは、ＲＦＩＤ検出時着信通知処理を行う場合に、ＲＦＩＤ２から受信される無線信号の受信強度により示されるＲＦＩＤ２と携帯電話１の距離に応じて、通知処理を使い分けてほしいか否かを示す情報を受信強度利用設定として設定しておく。この受信強度利用設定には、ＲＦＩＤ２と携帯電話１との間の距離に応じて、どの通知処理を行ってほしいか、についての情報が含まれる。そしてＲＦＩＤ検出時着信通知処理を行うときに、受信強度利用設定を確認して通知処理を行うことにより、ユーザの意思に沿って通知処理を行うことを可能にしている。
【００５３】
受信強度利用設定が有効となっていない場合には、中央プロセッサ部１０は、後述する通知処理Ｃを行う（Ｓ４１２）。一方、受信強度利用設定が有効となっている場合には、ＲＦＩＤ取得部６１により取得されるＲＳＳＩ情報を取得し、該ＲＳＳＩ情報について、所定の閾値に対する大小についての判断を行い、受信信号強度情報として取得する（Ｓ４０２）。そして、取得される受信信号強度情報によりＲＦＩＤ＿ｎと携帯電話１との距離を算出する。この距離の算出方法について説明する。記憶部２０には、所定の閾値と距離とが対応付けて記憶されている。ここでは、所定の閾値と５０ｃｍという距離が対応付けて記憶されており、ＲＳＳＩ情報が該所定の閾値を超えていれば距離は５０ｃｍ以内、超えていなければ５０ｃｍ以遠、というようにＲＦＩＤ＿ｎと携帯電話１との距離を示すだいたいの距離情報を算出することにより、距離を算出している。なお、閾値が複数記憶されていれば、より細かく距離情報を算出することができる。
【００５４】
そして、距離情報が５０ｃｍ以内であれば後述する通知処理Ａ、距離情報が５０ｃｍ以内であれば後述する通知処理Ｂ、というように、距離情報に応じて通知処理を異ならせることができる。
【００５５】
ここで、通知処理について説明する。通知処理は上述したように、バイブレーター３４における振動処理、リンガー３５における鳴動処理、ＬＣＤ３６における着信通知情報表示処理、スピーカ３３における着信通知情報音声出力処理、などが挙げられる。上記通知処理Ａ，通知処理Ｂ、通知処理Ｃは、これらを一つだけ使用するか、或いは組み合わせて使用するか、について異ならせた通知処理である。それぞれについて具体的にどのような通知処理を行うかについては、上述のように受信強度利用設定に設定される。ひとつの例としては、通知処理Ａはバイブレーター３４における振動処理のみ、通知処理Ｂはバイブレーター３４における振動処理とリンガー３５における鳴動処理の組み合わせ、通知処理Ｃはバイブレーター３４における振動処理とリンガー３５における鳴動処理とＬＣＤ３６における着信通知情報表示処理との組み合わせ、というように設定される。
【００５６】
以上のようにすることにより、ＲＦＩＤ２がどの程度近くにあるかに応じて情報を通知することが可能になる。つまり、ＲＦＩＤ２から送信される電波の受信強度に応じて距離を算出し、該距離に応じて通知処理を異ならせることができる。
【００５７】
なお、例えば受信強度の変化に応じて、通知処理を異ならせてもよい。具体的には、中央プロセッサ部１０は、ＲＦＩＤ＿ｎ検出処理のＳ３００の処理において受信強度をも取得することとし、取得した受信強度を記憶部２０に記憶しておく。そしてＲＦＩＤ検出時着信通知処理において、受信強度の変化量が所定の閾値を超えているか否かを判断し、受信強度の変化量が所定の閾値を超えた場合の通知処理と、受信強度の変化量が所定の閾値を超えない場合の通知処理と、を異ならせることとしてもよい。
【００５８】
[実施形態２]
本発明の第２の実施形態に係る情報処理システム５について説明する。本実施の形態の情報処理システム５は、第１の実施形態におけるものとは主に中央プロセッサ部１０等の構成が幾分異なり、これに基づいて、携帯電話１における動作が異なっている。
【００５９】
図８は、本実施形態に係る携帯電話１の構成図である。同図に示すように、本実施形態に係る携帯電話１は、実施形態１と同様に、中央プロセッサ部１０、記憶部２０、入出力部３０、信号処理部４０、セルラ送受信部５０、ＲＦＩＤ送受信部６０を含んで構成されている。このうち、入出力部３０、セルラ送受信部５０、ＲＦＩＤ送受信部６０の構成及び処理については第１の実施形態におけるものと同様であるが、中央プロセッサ部１０、記憶部２０、信号処理部４０における動作が第１の実施形態とは異なっている。
【００６０】
中央プロセッサ部１０は、実施形態１と同様に、コンピュータである携帯電話１の中央処理装置であり、携帯電話１の各部を制御したり、通信に係る各種処理を行ったりする。本実施形態２では中央プロセッサ部１０は、認証情報取得部１１、ＲＦＩＤ判定部１２、通知処理部１３、ＲＦＩＤ登録部１４に加え、基地局ＩＤ判定部１５、基地局ＩＤ登録部１６、をさらに含んで構成される。認証情報取得部１１、ＲＦＩＤ判定部１２、ＲＦＩＤ登録部１４の処理は第１の実施形態と同様であり、通知処理部１３は第１の実施形態において説明した処理のほか、携帯電話１が在圏する基地局装置識別番号に応じた通知処理を行う。
【００６１】
記憶部２０も、実施形態１と同様メモリ２１を含んで構成され、第１の実施形態で説明した各情報のほか、少なくとも一つの基地局装置識別番号を記憶する。基地局装置識別番号は基地局装置３ごとに一意に割り当てられる番号である。
【００６２】
信号処理部４０も実施形態１と同様ＤＳＰ４１を含んで構成される処理装置である。信号処理部４０は、第１の実施形態において行う処理に加え、基地局装置３から送信される制御信号などに含まれる基地局装置識別番号を抽出することにより取得し、基地局ＩＤ判定部１５に出力する。このようにして、信号処理部４０は、各基地局装置３から送信され、各基地局装置３に付与される基地局装置識別番号を含む基地局装置識別番号信号としての制御信号を受信する基地局装置識別番号信号受信手段として機能する。
【００６３】
基地局ＩＤ判定部１５の処理について説明する。基地局ＩＤ判定部１５は、基地局装置識別番号を記憶しているメモリ２１において記憶される基地局装置識別番号と、信号処理部４０により取得される基地局装置識別番号と、が一致しているか否かを判断する。このようにして、基地局ＩＤ判定部１５は、受信される制御信号に含まれる基地局装置識別番号が、記憶部２０により記憶されている基地局装置識別番号のいずれかと同一であるか否かを判断している。
【００６４】
次に、基地局ＩＤ登録部１６について説明する。基地局ＩＤ登録部１６は、基地局装置識別番号（基地局ＩＤ）をメモリ２１に登録するための登録処理を行う。具体的には、キーＩＦ３７、通信ポート３８又は信号処理部４０から、基地局装置識別番号を取得し、取得された基地局装置識別番号をメモリ２１に記憶させることにより登録する。キーＩＦ３７は、携帯電話１のユーザが基地局装置識別番号を登録するための所定のキー操作を行うことにより、基地局装置識別番号を所得する。通信ポート３８は、接続される他の装置から基地局装置識別番号を登録するための、基地局装置識別番号を含む所定の登録信号を受信することにより、基地局装置識別番号を取得する。また信号処理部４０は、上述のように、セルラ送受信部５０が受信した基地局装置３からの無線信号に含まれる基地局装置識別番号を取得する。
【００６５】
ここで上記登録処理のうち、信号処理部４０が基地局装置識別番号を取得することにより、基地局ＩＤ登録部１６が基地局装置識別番号をメモリ２１に記憶させる場合の処理について、処理のフロー図を参照しながら説明する。図９は、信号処理部４０が基地局装置識別番号を取得することにより、基地局ＩＤ登録部１６が基地局装置識別番号をメモリ２１に記憶させる場合の登録処理のフロー図である。同図に示すように、まず携帯電話１のユーザがキーＩＦ３７において所定の登録操作を行う（Ｓ５００）。すると、中央プロセッサ部１０は、該登録操作を受け、信号処理部４０において、基地局装置３からの無線信号に含まれる基地局装置識別番号を取得する基地局スキャン処理を行う（Ｓ５０１）。また、ユーザは登録操作を行うに際し、現在の場所（すなわち取得される基地局装置識別番号に対応する基地局装置３のエリア内）に関する場所情報を入力する（Ｓ５０２）。この場所情報は自宅，会社など、用意されたいくつかの選択肢の中から選択される情報である。さらにユーザは、入力した場所情報に対応する通知処理を入力する（Ｓ５０３）。この通知処理も、用意されたいくつかの選択肢の中から選択される情報である。具体的には、バイブレーター３４における振動処理、リンガー３５における鳴動処理、ＬＣＤ３６における着信通知情報表示処理、スピーカ３３における着信通知情報音声出力処理、などの上述した処理の他、スピーカ３３からのメールの自動読み上げ処理も挙げられる。メールの自動読み上げ処理とは、メール着信通知処理において、通知処理部１３が記憶部２０に記憶される着信メールの内容である文章を、機械音声により読み上げ、読み上げにより生ずる音声信号をスピーカ３３から出力する処理である。
【００６６】
そして、基地局ＩＤ登録部１６は、取得される基地局装置識別番号と、入力された場所情報と、を対応付けて記憶部２０に記憶する。そしてさらに、場所情報と通知処理とを対応付けて記憶する。このようにして、記憶部２０は少なくとも１つの基地局装置識別番号を記憶するとともに、基地局装置識別番号と対応付けて通知処理を記憶する。
【００６７】
そして通知処理部１３は、基地局ＩＤ判定部１５による、メモリ２１において記憶される基地局装置識別番号と、信号処理部４０により取得される基地局装置識別番号と、が一致しているか否かについての判断結果に応じて異なる通知処理を行う。この通知処理を、中央プロセッサ部１０の処理のフロー図を参照しながら説明する。
【００６８】
図１０は、中央プロセッサ部１０の処理を示す処理フロー図である。同図に示される通知処理は、図７における通知処理のさらに詳細な処理内容を示している。すなわち、実施形態２は、図５乃至図７に示される処理のより詳細な内容についての実施形態である。同図に示すように、中央プロセッサ部１０はまず在圏基地局装置を示す基地局装置識別番号である在圏基地局装置識別番号と、記憶部２０に記憶される基地局装置識別番号とが一致するか否かを判断する（Ｓ６００）。多数記憶されている場合には、一致しているものを選出する。なお在圏基地局装置とは、移動局装置としての携帯電話１が現に通信を行っている基地局装置３を意味している。そして、一致していた基地局装置識別番号に応じて処理を分岐し（Ｓ６０２）、それぞれで異なる通知処理を行う（Ｓ６０４−１乃至ｎ）。このようにして、基地局装置識別番号に応じた通知処理を行うことを可能としている。なおＳ６０２の処理に置いて、基地局装置識別番号と対応付けて記憶される場所情報に応じて処理を分岐することとしてもよい。このようにすれば、場所情報に応じた通知処理を行うことができる。
【００６９】
以上のようにすることにより、在圏基地局装置に応じた通知処理の使い分けが可能になる。このようにすることにより、例えば会社ではメールを読み上げてほしくないが、家ではメールを読み上げて欲しい場合など、少なくとも基地局装置３のエリア単位で通知処理を異ならせるよう、通知処理を設定することが可能になる。また、基地局装置３の登録についても、ユーザは基地局装置３のエリア内でそのエリアに関する場所情報を登録する処理をすれば足りるので、簡易に基地局装置３の登録を行うことができる。
【００７０】
なお、本発明は上記実施の形態に限定されるものではない。例えば上記実施の形態では携帯電話に本発明を適用した場合について説明したが、本発明は任意の情報処理装置に適用することができる。この場合には、ＲＦＩＤなどの無線通信装置から受信される無線信号の受信強度に応じて異なる通知処理を、該情報処理装置が行う。
【００７１】
また、上記実施の形態では、変数「受信履歴」はＲＦＩＤ＿ｎごとに記憶されていることとしたが、ＲＦＩＤ＿ｎごとに記憶されていなくてもよい。このような場合には、一度ＲＦＩＤ検出時着信通知処理を行った後は、記憶部２０に新たなメール未読情報又は不在着信情報が記憶されない限り、異なるＲＦＩＤが検出された場合にも通知処理を行わないようにすることができる。
【図面の簡単な説明】
【００７２】
【図１】本発明の実施の形態に係る情報処理システムの構成図である。
【図２】（ａ）本発明の実施の形態に係る携帯電話が着信待ち状態であるときの説明図である。（ｂ）本発明の実施の形態に係る携帯電話が着信通知処理実施中状態であるときの説明図である。（ｃ）本発明の実施の形態に係る携帯電話が再度着信通知処理実施中状態であるときの説明図である。
【図３】本発明の実施の形態に係る携帯電話の構成図である。
【図４】本発明の実施の形態に係る処理のフロー図である。
【図５】本発明の実施の形態に係る処理のフロー図である。
【図６】本発明の実施の形態に係る処理のフロー図である。
【図７】本発明の実施の形態に係る処理のフロー図である。
【図８】本発明の実施の形態に係る携帯電話の構成図である。
【図９】本発明の実施の形態に係る処理のフロー図である。
【図１０】本発明の実施の形態に係る処理のフロー図である。
【符号の説明】
【００７３】
１  携帯電話、２  ＲＦＩＤ、３  基地局装置、４  通信ネットワーク、５  情報処理システム、１０  中央プロセッサ部、１１  認証情報取得部、１２  ＲＦＩＤ判定部、１３  通知処理部、１４  ＲＦＩＤ登録部、１５  基地局ＩＤ判定部、１６  基地局ＩＤ登録部、２０  記憶部、２１  メモリ、３０  入出力部、３１  ＣＯＤＥＣ、３２  マイク、３３  スピーカ、３４  バイブレーター、３５  リンガー、３６  ＬＣＤ、３７  キーＩＦ、３８  通信ポート、４０  信号処理部、４１  ＤＳＰ、５０  セルラ送受信部、５１  ＡＤＣ／ＤＡＣ、５２  ＲＦ部、６０  ＲＦＩＤ送受信部、６１  ＲＳＳＩ取得部、６２  ＲＦＩＤ用ＲＦ部
【図１】
2006165787.tif 000003
【図２】
2006165787.tif 000004
【図３】
2006165787.tif 000005
【図４】
2006165787.tif 000006
【図５】
2006165787.tif 000007
【図６】
2006165787.tif 000008
【図７】
2006165787.tif 000009
【図８】
2006165787.tif 000010
【図９】
2006165787.tif 000011
【図１０】
2006165787.tif 000012